(57)【特許請求の範囲】
【請求項１】
化粧料を収納する合成樹脂製の容器本体と、この容器本体の裏面に配置した鏡とを有し、この鏡を蓋体の裏面との間に介在させた接着構造体を介して、当該蓋体の裏面に固着してなる化粧料容器であって、
前記接着構造体は、ベース層とこのベース層を両側に挟む粘着層とを備え、該粘着層のうちの少なくとも一方が、水溶性の樹脂で構成されていると共に、ベース層若しくは粘着層の少なくとも一方の層に高分子吸水体がブレンドされているものであることを特徴とする化粧料容器。
【請求項２】
高分子吸水体がブレンドされる前記層は、該層を構成する樹脂に対して前記高分子吸水体を３〜６０vol％の割合でブレンドしたものである、請求項１に記載の化粧料容器。
【請求項３】
前記高分子吸水体は、デンプン−ポリアクリロニトリル加水分解物、デンプン−ポリアクリル酸塩架橋物、カルボキシルメチルセルロース系、酢酸ビニル−アクリル酸メチル共重合体ケン化物、イソブチレン無水マレイン酸共重合体物、またはポリアクリル酸ソーダ架橋物である、請求項１または２に記載の化粧料容器。
【請求項４】
前記水溶性の樹脂は、ポリビニルアルコールを主成分とするものである、請求項１乃至３のいずれか１項に記載の化粧料容器。
【発明の詳細な説明】
【０００１】
【発明の属する技術分野】
本発明は、プラスチックと、鏡、ガラスあるいは金属材など異質のものとを相互に接続する接着構造体と、この接着構造体を備えた化粧料容器に関し、使用後の廃棄に際して異質な２つの部材を簡便な手法でもって相互に分離し、確実な分別回収を実現しようとするものである。
【０００２】
【従来の技術】
異質な２つの部材を相互に組合せたものとしては、プラスチックからなる筐体に鏡を貼り合わせた手鏡や装飾として金属プレートを用いた化粧用コンパクト容器あるいは口紅を収納するケース等が知られており、この他にも日用品や家庭用品に数多く見られる。
【０００３】
これらのものは、ベース材の両面に粘着層を有する両面テープやホットメルトによって固着されているのが普通である。
【０００４】
ところで、近年、資源の有効活用を図る観点から、分別回収の要請が高まるなかで、例えば、合成樹脂製の容器本体と、鏡やガラスなどの異質部材との相互間を固着した化粧料容器につき、それらの異質部材同士を分離して廃棄する必要があるところ、この場合、それらを相互に取り外すのは困難な構造となっている。そこで、この問題に対応すべく、水溶性の接着剤を使用した両面テープを用いた固着方法が利用されるようになってきている。しかしながら、この場合でも、部材間の密着性が高い場合、水の浸透性が悪く、分離に時間が掛かってしまう問題がある。
【０００５】
【発明が解決しようとする課題】
本発明の課題は、材質の異なる２つの部材同士を両面テープ等にて貼り合わせる組合せ体において、各部材を簡便に分離して分別回収することができる新規な接着構造体とその接着構造体を備えた化粧料容器を提案するところにある。
【００１０】
【課題を解決するための手段】
本発明は、化粧料を収納する合成樹脂製の容器本体と、この容器本体の蓋体の裏面に配置した鏡とを有し、この鏡を蓋体の裏面との間に介在させた接着構造体を介して、当該蓋体の裏面に固着してなる化粧料容器であって、前記接着構造体は、ベース層とこのベース層を両側に挟む粘着層とを備え、該粘着層のうちの少なくとも一方が、水溶性の樹脂で構成されていると共に、ベース層若しくは粘着層の少なくとも一方の層に高分子吸水体がブレンドされているものであることを特徴とするものである。
【００１１】
本発明に係る化粧料容器は、高分子吸水体がブレンドされる前記層は、該層を構成する樹脂に対して前記高分子吸水体を３〜６０vol％の割合でブレンドしたものであることが好ましい。
【００１２】
本発明に係る化粧料容器は、前記高分子吸水体が、デンプン−ポリアクリロニトリル加水分解物、デンプン−ポリアクリル酸塩架橋物、カルボキシルメチルセルロース系、酢酸ビニル−アクリル酸メチル共重合体ケン化物、イソブチレン無水マレイン酸共重合体物、またはポリアクリル酸ソーダ架橋物であることが好ましい。
【００１３】
本発明に係る化粧料容器は、前記水溶性の樹脂が、ポリビニルアルコールを主成分とするものであることが好ましい。
【００１４】
【発明の実施の形態】
以下、図面を参照して本発明をより具体的に説明する。
【００１５】
図１は本発明の参考技術としての接着構造体を、材質の異なる２つの部材である筐体とこの筐体に貼り付ける金属プレートとを例にして模式的に示した斜視図である。
【００１６】
図１において、符号１は接着構造体、符号２は異質部材である金属プレート、そして符号３は金属プレート２を固着するための例えばプラスチックの如き合成樹脂からなる筐体である。接着構造体１は、ベース層１ａと、このベース層１ａを両側に挟む粘着層１ｂを備えるものであって、該粘着層１ｂの両方もしくは一方が水溶性の粘着層からなっている。
【００１７】
ベース層１ａは、水が全く浸透しない材料であってもよいが、水が浸透しやすい多孔質材、スポンジ材、不織布あるいは布であることが好ましい。この場合、化粧料容器を水の中に入れて金属プレート２を複数回押圧すると、接着構造体１の粘着層１ｂは勿論のこと、ベース層１ａに水が浸透していき、粘着層１ｂは比較的短時間で溶解される。
【００１８】
水溶性の粘着層１ｂは、水溶性の樹脂と高分子吸水体とをブレンドしたものである。ここで、水溶性の樹脂については、例えば、ＰＶＡ（ポリビニルアルコール）が挙げられるが、とくに水溶性のものであればその成分に限定されることはない。また高分子吸水体は、分子中に親水基を多数持つ高分子電解質からなるものであり、デンプン−ポリアクリロニトリル加水分解物、デンプン−ポリアクリル酸塩架橋物、カルボキシルメチルセルロース系、酢酸ビニル−アクリル酸メチル共重合体ケン化物、イソブチレン無水マレイン酸共重合体物、またはポリアクリル酸ソーダ架橋物などが挙げられる。特に水溶性粘着層１ｂは、粘着性を損なわない様、高分子吸水体を水溶性樹脂に対して３〜６０vol％の割合でブレンドしたものが好ましい。
【００１９】
金属プレート２は、接着構造体１を介して筐体３の上に配置することにより、筐体３に対して強固に固着されることになる。
【００２０】
筐体３から金属プレート２を取り外すには、接着構造体１に適量の水をかけるか、あるいは接着構造体１そのものを水の中に入れる。
【００２１】
そうすると、水が粘着層１ｂへ浸透することにより、水溶性樹脂がしだいに溶けて金属プレート２と筐体３との接着力が弱まると共に、高分子吸水体が吸水により膨張して金属プレート２を筐体３から押し上げるため、金属プレート２と筐体３とは簡単に分離することになる。
【００２２】
図２は本発明に従う化粧料容器の容器本体の外観斜視図であり、図３は、図２の化粧料容器の要部を示す断面図である。
【００２３】
容器本体は、図２に示す如く、合成樹脂にて構成することができるものであり、化粧料を収納する収納部４と、この収納部４にヒンジを介して揺動可能に連結する蓋体５からなっている。また、符号６は蓋体５の裏面に配置した例で示した異質部材である鏡であり、この鏡６は図３に要部を示す如く、接着構造体１によって蓋体５に強固に固着されている。
【００２４】
上掲図２に示したような構成になる化粧料容器においては、その化粧料容器を分別廃棄するため、蓋体５から鏡６を取り外すには、接着構造体１に適量の水をかけるか、あるいは接着構造体１そのものを水の中に入れる。
【００２５】
そうすると、水が粘着層１ｂへ浸透することにより、粘着層１ｂがしだいに溶けて蓋体５と鏡６との接着力が弱まると共に、高分子吸水体が吸水により膨張して鏡６を蓋体５から押し上げるため、蓋体５と鏡６とは簡単に分離することになる。
【００２６】
また、図４は、接着構造体の他の実施形態を図３に採用した際の要部断面図であり、図４に示すように容器本体の成形と同時にベース層１ａを設け（インサート成形等）、このベース層１ａに水溶性樹脂と高分子吸水体とをブレンドした粘着層１ｂを介して鏡６を配置することもできる。この場合もベース層１ａは、水が全く浸透しない材料であってもよいが、吸水性の高いものを使用するか、あるいは水溶性の紙等を使用することが好ましい。さらには、ベース層１ａを樹脂層とする場合には、粘着層には高分子吸水体をブレンドせず、ベース層１ａに高分子吸水体をブレンドして構成すること、或いは、ベース層と粘着層との両者に高分子吸水体をブレンドすることも可能であり、この場合においても、前述の効果と同様の効果を得ることができる。
【００２７】
本発明では、接着構造体１をベース層１ａとして単層フィルムを用いて説明したが、本発明はこれにのみ限定されるものではなく、その態様は積層フィルムなどに適宜に変更できる。
【００２８】
【発明の効果】
本発明によれば、蓋体の裏面に鏡を固着させる接着構造体を備える化粧料容器において、粘着層を水溶性の樹脂で構成すると共に、ベース層若しくは粘着層の少なくとも一方の層に高分子吸水体がブレンドされていることにより、簡単に分離することができるので、種類の異なる部材の分別回収を確実に行うことが可能となり資源の有効活用のみならず、廃棄物の処理が容易になる。
【図面の簡単な説明】
【図１】  本発明の参考技術としての接着構造体を模式的に示した斜視図である。
【図２】  本発明に従う化粧料容器の容器本体の外観斜視図である。
【図３】  上記化粧料容器の要部を示す断面図である。
【図４】  接着構造体の他の実施形態を化粧料容器に採用した際の要部断面図である。
【符号の説明】
１  接着構造体
１ａ  ベース層
１ｂ  水溶性樹脂および高分子吸水体によるブレンド粘着層
２  金属プレート
３  筐体
４  収納部
５  蓋体（容器本体）
６  鏡
【図１】
0004322438.tif 000002
【図２】
0004322438.tif 000003
【図３】
0004322438.tif 000004
【図４】
0004322438.tif 000005